(57)【特許請求の範囲】
【請求項１】
複数が寄せ集められる組合型端末装置のための移動端末であって、
画面と、
前記画面の相反する両側に位置し、相互に平行する平面である第一側表面及び第二側表面と、
前記第一側表面に設置される第一磁気吸着手段及び前記第二側表面に設置される第二磁気吸着手段と、
前記第一側表面に設置される第一導電部及び前記第二側表面に設置される第二導電部と、を含み、
前記第一磁気吸着手段と前記第二磁気吸着手段とは、現在の前記移動端末に他の前記移動端末が寄せ集められる時に、現在の前記移動端末の前記第一側表面における前記第一磁気吸着手段が他の前記移動端末の前記第二側表面における前記第二磁気吸着手段と相互に吸引し、現在の前記移動端末の前記第一側表面が他の前記移動端末の前記第二側表面と相互に合わさるように貼り付けられる位置に配置され、
前記第一導電部と前記第二導電部は、現在の前記移動端末の前記第一側表面が他の前記移動端末の前記第二側表面と相互に合わさるように貼り付けられる時に、現在の前記移動端末の前記第一側表面における前記第一導電部が他の前記移動端末の前記第二側表面における前記第二導電部と相互に電気接触する位置に配置され、
前記第一導電部と前記第二導電部の少なくとも一つは、それが位置する側表面に垂直する方向に沿って移動できるように、弾性材料により形成され、或いは、偏るようにバネによって形成されており、
さらに、前記第一導電部は、複数の弓形金属板からなり、前記第二導電部は、前記第二側表面に窪み、現在の前記移動端末の前記第一導電部が他の前記移動端末の前記第二導電部と相互に当接して、前記第一導電部によりそれが位置する側表面に垂直する方向に沿って変形を生じさせることにより、他の前記移動端末の前記第二側表面が現在の前記移動端末の前記第一側表面と相互に合わさるように貼り付けられる、
ことを特徴とする移動端末。
【請求項２】
前記第一磁気吸着手段が前記第一側表面に突出しないと共に、前記第二磁気吸着手段が前記第二側表面に突出しない、ことを特徴とする請求項１に記載の移動端末。
【請求項３】
前記第一導電部と前記第二導電部の少なくとも１つは、出っ張り位置と引っ込み位置との間に移動可能である可動導電部が形成され、前記可動導電部が前記出っ張り位置になるとそれが位置する側表面から突出する
ことを特徴とする請求項１に記載の移動端末。
【請求項４】
前記可動導電部が位置する側表面には、前記可動導電部を収容する凹部を有する
ことを特徴とする請求項３に記載の移動端末。
【請求項５】
前記凹部を閉鎖する取外し可能な導電部蓋部をさらに含み、
前記導電部蓋部が前記凹部を閉鎖すると、前記導電部蓋部の表面と前記導電部蓋部の位置する側表面とが同一平面となる
ことを特徴とする請求項４に記載の移動端末。
【請求項６】
前記第一側表面及び／或いは前記第二側表面における手動操作ボタンをさらに含み、
前記手動操作ボタンを、その輪郭がその側表面を上回らせないように、その位置する側表面に第二溝に形成する
ことを特徴とする請求項１乃至５のいずれか一つに記載の移動端末。
【請求項７】
前記移動端末は、全体に丸角がない矩形である
ことを特徴とする請求項１乃至６のいずれか一つに記載の移動端末。
【請求項８】
前記移動端末の背面側には、前記画面の幅方向に沿って配置された左磁気吸着手段及び右磁気吸着手段が設置され、
前記左磁気吸着手段及び前記右磁気吸着手段は、現在の前記移動端末と他の前記移動端末とが背中合わせに相互に抵触すると、現在の前記移動端末の背面が他の前記移動端末の背面と相互に合わさるように貼り付けられるように、現在の前記移動端末における前記左磁気吸着手段と前記右磁気吸着手段とがそれぞれ他の前記移動端末における前記右磁気吸着手段と前記左磁気吸着手段と相互に吸引可能であるように設置される
ことを特徴とする請求項１乃至７のいずれか一つに記載の移動端末。
【請求項９】
前記画面は、ほぼ矩形であり、Ｌを前記画面の長さ、Ｗを前記画面の幅とすると、Ｌ：Ｗ≧２．５となる
ことを特徴とする請求項１乃至８のいずれか一つに記載の移動端末。
【請求項１０】
Ｌ：Ｗ＝（２０５〜２１５）：［（２９０〜３０４）／ｎ］となり，ただし、ｎは正の整数となり、かつ、ｎ≧４である
ことを特徴とする請求項９に記載の移動端末。
【請求項１１】
ｎは、ｎ≦６となる
ことを特徴とする請求項１０に記載の移動端末。
【請求項１２】
ｎは、４或いは５である
ことを特徴とする請求項１０に記載の移動端末。
【請求項１３】
Ｗは、１５０ｍｍ≧Ｗ≧３０ｍｍとなり、選択的に、Ｗは、９０ｍｍ≧Ｗ≧５０ｍｍとなる
ことを特徴とする請求項１０乃至１２のいずれか一つに記載の移動端末。
【請求項１４】
Ｌは、２０５〜２１５ｍｍである
ことを特徴とする請求項１０乃至１２のいずれか一つに記載の移動端末。
【請求項１５】
Ｗは、５８〜６１ｍｍであり、選択的に、Ｗが６０ｍｍであって、Ｌが２１０ｍｍである
ことを特徴とする請求項１４に記載の移動端末。
【請求項１６】
Ｗは、７２〜７６ｍｍであり、選択的に、Ｗが７４ｍｍであり、Ｌが２１０ｍｍである
ことを特徴とする請求項１４に記載の移動端末。
【請求項１７】
前記画面は、ほぼ矩形であり、Ｌ：Ｗ＝（２０５〜２１５）：［（２９０〜３０４）／ｎ］となり，Ｌを前記画面の長さ、Ｗを前記画面の幅とすると、ｎが正の整数であり、かつ、ｎ≧２となる
ことを特徴とする請求項１に記載の移動端末。
【請求項１８】
前記ｎは、２或いは３である
ことを特徴とする請求項１７に記載の移動端末。
【請求項１９】
Ｌは、２０５〜２１５ｍｍである
ことを特徴とする請求項１７又は１８に記載の移動端末。
【請求項２０】
前記画面の幅方向では、額縁レス、或いは、幅が１ｍｍより小さい狭額縁で前記移動端末における対向して設置される２つの側辺を形成する
ことを特徴とする請求項１乃至１９のいずれか一つに記載の移動端末。
【請求項２１】
前記画面の長手方向では、額縁レス、或いは、狭額縁で前記移動端末における対向して設置される２つの側辺の少なくとも一つを形成する
ことを特徴とする請求項１乃至２０のいずれか一つに記載の移動端末。
【請求項２２】
前記画面の幅方向及び／或いは長手方向では、請求項１０乃至１７のいずれか一つに記載の移動端末がＮ個寄せ集められ、Ｎ個の前記移動端末の前記画面が全体として単一矩形画面に形成される
ことを特徴とする組合型端末装置。
【請求項２３】
Ｎの値は、ｎと同じである
ことを特徴とする請求項２２に記載の組合型端末装置。
【発明の詳細な説明】
【技術分野】
【０００１】
本発明は、移動端末に関し、特に移動端末及び複数の移動端末が寄せ集められた組合型端末装置に関する。
【背景技術】
【０００２】
従来技術では、携帯電話機の画面アスペクト比を１６：９や１６：１０に固定することが一般である。画面を片手で操作することを可能とするためには、この時の画面面積は一般的に小さく、例えば３．５インチであることから、大面積に対するニーズが十分に満たされない。
【発明の概要】
【発明が解決しようとする課題】
【０００３】
しかしながら、画面の表示面積が十分に大きく、例えば５．５インチが設置されると、前記アスペクト比に制限があるため、画面の幅が大きすぎて、片手操作ができなくなる。
【０００４】
また、画面が上記のアスペクト比に従って設置される場合には、大部分がＡ４用紙の大きさである出版物の文書を表示すると、画面の周囲に黒い領域が残されてしまうことが多い。故に、表示効果に影響があるともに、画面が最大限に利用されなかった。
【０００５】
なお、携帯電話機は、旧製品を新しいものに交替することが早く、利用者による携帯電話機の交替回数も一層多くなる。旧携帯電話機の投棄は、資源の浪費だけでなく、深刻な環境問題も招致されてしまう。現在の市場では、特に良い解決方法がまだ存在していないが、その方法としては携帯電話機を回収することが一般的である。しかしながら、この場合に、不要になった携帯電話機を再生させるコストが高くなり、回収と再生による二次汚染の恐れがある。
【課題を解決するための手段】
【０００６】
本願の発明者らは、上記の従来技術を分析する時に、特定構成を有する移動端末を設置することにより、従来技術に存在し、一見すれば互いに関連していない複数の問題を同時に解決することができることを偶然に発見した。
【０００７】
本発明の一側面によれば、複数が寄せ集められた組合型端末装置のための移動端末であって、画面と、前記画面の相反する両側に位置し、相互に平行する平面である第一側表面及び第二側表面と、前記第一側表面に設置される第一磁気吸着手段及び前記第二側表面に設置される第二磁気吸着手段と、を含み、前記第一磁気吸着手段と前記第二磁気吸着手段は、現在の前記移動端末に他の前記移動端末が寄せ集められる時に、現在の前記移動端末の前記第一側表面における前記第一磁気吸着手段と他の前記移動端末の前記第二側表面における前記第二磁気吸着手段とが相互に吸引し、現在の前記移動端末の前記第一側表面と他の前記移動端末の前記第二側表面とが相互に合わさるように貼り付けられる位置に配置される移動端末を提供する。
【０００８】
好ましくは、前記第一磁気吸着手段が前記第一側表面に突出しないと共に、前記第二磁気吸着手段が前記第二側表面に突出しない。
【０００９】
好ましくは、前記移動端末は、前記第一側表面に設置される第一導電部と、前記第二側表面に設置される第二導電部と、を含み、前記第一導電部と前記第二導電部は、現在の前記移動端末の前記第一側表面と他の前記移動端末の前記第二側表面とが相互に合わさるように貼り付けられる時に、現在の前記移動端末の前記第一側表面における前記第一導電部と他の前記移動端末の前記第二側表面における前記第二導電部とが相互に電気接触する位置に配置される。
【００１０】
好ましくは、前記第一導電部と前記第二導電部の少なくとも一つは、位置する側表面に垂直する方向に沿って移動できるように、弾性材料により製造され、或いは、偏るようにバネによって押圧される。
【００１１】
好ましくは、前記第一導電部は、複数の弓形金属板からなり、前記第二導電部は、前記第二側表面に窪み、現在の前記移動端末の前記第一導電部と他の前記移動端末の前記第二導電部とが相互に当接し、位置する側表面に垂直する方向に沿って前記第一導電部に変形を生じさせることにより、他の前記移動端末の前記第二側表面と現在の前記移動端末の前記第一側表面とが相互に合わさるように貼り付けられる。
【００１２】
好ましくは、前記第一側表面は、第一溝を有し、前記第一導電部は、前記第一溝に回転可能に接続され、前記第一導電部は、第一溝の外部に出るように回転して他の前記移動端末の前記第二導電部に接触し、かつ、前記第一導電部は、前記第一溝内へ回転して他の前記移動端末の前記第二導電部との接触を断つ。
【００１３】
好ましくは、前記第一導電部と前記第二導電部の少なくとも１つは、張出位置と引返位置との間に移動可能である可動導電部として形成され、前記可動導電部は、前記張出位置に到着すると、位置する側表面に突出する。
【００１４】
好ましくは、前記可動導電部の位置する側表面に前記可動導電部を収納する凹部を有する。
【００１５】
好ましくは、前記移動端末は、前記凹部を閉鎖する取外し可能な導電部蓋部をさらに含み、前記導電部蓋部が前記凹部を閉鎖すると、前記導電部蓋部の表面と前記導電部蓋部の位置する側表面とが同一平面となる。
【００１６】
好ましくは、前記移動端末は、前記第一側表面及び／或いは前記第二側表面における手動操作ボタンをさらに含み、前記手動操作ボタンは、輪郭が側表面を上回らせないように、位置する側表面の第二溝に形成される。
【００１７】
好ましくは、前記移動端末は、全体に丸角がない矩形である。
【００１８】
好ましくは、前記移動端末の背面側には、前記画面の幅方向に沿って配置された左磁気吸着手段及び右磁気吸着手段が設置され、前記左磁気吸着手段及び前記右磁気吸着手段は、現在の前記移動端末の前記第一導電部と他の前記移動端末の前記第二導電部とが背中合わせに相互に抵触すると、現在の前記移動端末の裏面と他の前記移動端末の裏面とが相互に合わさるように貼り付けられるように、現在の前記移動端末における前記左磁気吸着手段と前記右磁気吸着手段がそれぞれ他の前記移動端末における前記左磁気吸着手段と前記右磁気吸着手段と相互に吸引可能であるように、位置して設置される。
【００１９】
好ましくは、前記画面は、ほぼ矩形であり、Ｌを前記画面の長さ、Ｗを前記画面の幅とすると、Ｌ：Ｗ≧２．５となる。
【００２０】
好ましくは、Ｌ：Ｗ＝（２０５〜２１５）：［（２９０〜３０４）／ｎ］となり，ただし、ｎは正の整数となり、かつ、ｎ≧４である。好ましくは、ｎがｎ≦６となる。好ましくは、ｎが４或いは５である。好ましくは、Ｗが１５０ｍｍ≧Ｗ≧３０ｍｍとなり、選択的に、Ｗが９０ｍｍ≧Ｗ≧５０ｍｍとなる。好ましくは、Ｌが２０５〜２１５ｍｍである。好ましくは、Ｗが５８〜６１ｍｍであり、選択的に、Ｗが６０ｍｍであり、Ｌが２１０ｍｍである。好ましくは、Ｗが７２〜７６ｍｍであり、選択的に、Ｗが７４ｍｍであり、Ｌが２１０ｍｍである。
【００２１】
好ましくは、前記画面は、ほぼ矩形であり、Ｌ：Ｗ＝（２０５〜２１５）：［（２９０〜３０４）／ｎ］となり，Ｌを前記画面の長さ、Ｗを前記画面の幅とすると、ｎが正の整数であり、かつ、ｎ≧２となる。好ましくは、前記ｎが２或いは３である。好ましくは、Ｌが２０５〜２１５ｍｍである。
【００２２】
好ましくは、前記移動端末における対向して設置される２つの側辺は、前記画面の幅方向に、額縁レス、或いは、幅が１ｍｍより小さい狭額縁として形成される。
【００２３】
好ましくは、前記移動端末における対向して設置される２つの側辺の少なくとも一つは前記画面の長手方向に、額縁レス、或いは、狭額縁として形成される。
【００２４】
本発明の他の側面によれば、前記画面の幅方向及び／或いは長手方向では、同じ移動端末がＮ個寄せ集められ、Ｎ個の前記移動端末の前記画面が全体として単一矩形画面として生成される組合型端末装置を提供する。
【００２５】
好ましくは、Ｎとｎは、値が同じである。
【００２６】
本発明の他の側面によれば、画面は、ほぼ矩形であり、長さ或いは幅の少なくとも１つが２０５〜２１５ｍｍである移動端末をさらに提供する。
【００２７】
本発明は、複数の移動端末が一列に寄せ集められた組合型端末装置であって、前記複数の移動端末の対応する複数の画面はほぼ矩形であり、それぞれの長さ或いは幅が同じ大きさであり、前記複数の移動端末が前記同じ大きさの長さ或いは幅で寄せ集められて単一矩形の画面として形成され、前記同じ大きさの長さ或いは幅が前記単一矩形の画面の幅として２０５〜２１５ｍｍであり、前記単一矩形の画面の長さとして２９０〜３０４ｍｍである組合型端末装置をさらに提供する。
【発明の効果】
【００２８】
まず、上記技術方案によれば、本発明に係る移動端末は、相互に寄せ集めることにより組合型端末装置を形成することができる。そして、このような移動端末の画面は、片手操作可能な幅が設置され、相互に寄せ集めることにより、大きい面積に対するニーズを満たす組合型端末装置の形成が可能である。そして、移動端末を相互に寄せ集めることができることから、移動端末に適当な大きさ及び寄せ集めの数量を設定すれば、相互に寄せ集められた組合型端末装置の画面をＡ４の大きさにすることができる。このような組合型端末装置の画面により出版物の資料を表示する場合には、黒い領域を消去することができる。また、本発明の技術方案に該当する旧移動端末を相互に寄せ集め、組合型端末装置を形成する場合に、再生する際に回収による二次汚染という問題を解決することができる。
【００２９】
次に、本発明の技術方案によれば、本発明に係る移動端末の画面の反対する両側に、例えば左右側或いは上下側には、相互に吸引する第一磁気吸着手段と第二磁気吸着手段とを有し、このような移動端末の第一磁気吸着手段や第二磁気吸着手段と他の移動端末の第二磁気吸着手段や第一磁気吸着手段とが相互に吸引し、移動端末間で相互に寄せ集め状態を形成することができる。第一磁気吸着手段と第二磁気吸着手段とによれば、寄せ集め専用のスロットを移動端末に設置する必要がなくなる。従って、移動端末の手触りを維持することができる。そして、画面の第一側表面及び第二側表面が相互に平行することにより、１つの移動端末とその他の移動端末とを側面に貼り付け、複数の移動端末からなる組合型端末装置の画面が同一の水平面となり、表示の効果及び読む感覚を向上させることができる。
【００３０】
また、本発明に係る移動端末は、背面側と近い箇所に左磁気吸着手段と右磁気吸着手段を設置する場合に、異なる移動端末の背面を相互に吸引することができる。つまり、異なる移動端末により、画面の位置する方向に組合型端末装置を寄せ集めることができる。一方、組合型端末装置を分解して複数の移動端末を形成する場合には、左磁気吸着手段と右磁気吸着手段により移動端末を二つずつ吸着可能であることから、移動端末の携帯を便宜にするのみならず、移動端末の紛失の恐れを低減することができる。背面側とは、移動端末の背面、或いは、移動端末の内部における移動端末の背面に近い側を指す。
【００３１】
そして、以上の本発明の技術方案の説明を踏まえて、本発明の技術方案によれば、従来技術における表示比率が１６：９や１６：１０（即ち、アスペクト比が１．７８或いは１．６である）の画面に比べると、本発明に係る画面のアスペクト比を少なくとも２．５に設置できることがわかる。そのため、本発明の画面は、より細長い形状である。そうすると、本発明の画面は、同じ幅であれば、より大きい面積を表示することができる。言い換えると、本発明の画面は、同じ表示面積であれば、比較的小さい幅を有し、人々の片手操作を便宜に行うことができる。
【００３２】
そして、本発明は、画面を従来技術に比べて大幅に長くしたことで、このような画面により携帯電話機の利用者が容易に片手操作を行えるとともに、一列の寄せ集めに限られないが、複数の画面を用いて一列に寄せ集めることによりＡ４用紙に対応する比率を実現できることを驚くことに発見した。また、利用者は、携帯電話機について旧製品を新しいものに交替するがこのような複数の画面を有する携帯電話機をそのまま利用したい場合に、これらの携帯電話機を前述の通りに寄せ集めて、組合型端末装置を形成することができる。
【００３３】
通常は、ＣＰＵ或いは記憶容量の不足などの画面と関係しない他の理由により、本発明に係る画面を有する携帯電話機が利用者に使い捨てられることが理解できる。本発明の提供したこの特定のアスペクト比を有する画面は、使い捨てられた旧携帯電話機に対応する利用価値を提供した。これは旧携帯電話機を含む複数の携帯電話機を組合型端末装置に寄せ集める時に、旧携帯電話機の画面の表示性能を主に利用し、この組合型端末装置における他の能力を、該組合型端末装置に性能がより良い新しい携帯電話機により提供可能であるためである。
【００３４】
特に、画面の１つの主な性能は利用者に資料を読ませることであり、適当な数量の移動端末を寄せ集め、組合型端末装置の画面をほぼＡ４用紙の比率にする際に、Ａ４用紙の比率に準ずる出版物の資料を表示する時に現れられた黒い領域を殆ど消去することができる。従って、寄せ集められた画面によりＡ４用紙の比率の資料をユーザが便宜に読み、旧携帯電話機の利用価値を大幅に向上させることができる。
【００３５】
以下には、図面を参照しながら、本発明の具体な実施例を詳しく説明し、当業者にとって本発明の上記目的、利点及び特徴及び他のものをより明確にする。
【図面の簡単な説明】
【００３６】
以下には、図面を参照しながら、限定的な形態ではなく、模式的な形態で本発明の幾つか具体的な実施例を説明する。図面には、同じ部分や類似な部分に同じ符号を付ける。これらの図面を必ず実際の比率に従って描く必要がないことは、当業者が理解すべきである。
【図１】本発明の一実施例による移動端末の構成模式図である。
【図２】本発明の一実施例による二つの移動端末からなる組合型端末装置の模式図である。
【図３】本発明の一実施例による三つの移動端末からなる組合型端末装置の模式図である。
【図４】本発明の他の実施例による四つの移動端末からなる組合型端末装置の模式図である。
【図５】本発明の一実施例による五つの移動端末からなる組合型端末装置の模式図である。
【図６】本発明の一実施例による第一導電部と第二導電部の模式図である。
【図７】本発明の他の実施例による第一導電部と第二導電部の模式図である。
【図８】本発明の一実施例による左右磁気吸着手段と右磁気吸着手段が設置される移動端末の構成模式図である。
【図９】本発明の一実施例による左右磁気吸着手段と右磁気吸着手段が設置される二つの移動端末が背中合わせて移動する模式図である。
【図１０】図９に示した２つ移動端末がそれぞれ背中合わせる状態となる構成模式図である。
【発明を実施するための形態】
【００３７】
本発明は、図１に示されたように、移動端末２０を提供し、移動端末２０を従来技術に比べると、複数の移動端末２０を寄せ集め、図２乃至図５に示した組合型端末装置３０を形成することが相違点である。移動端末２０は、寄せ集めを便宜にするために、図１に示されたように、全体に丸角を有さない矩形である。組合型端末装置３０は、移動端末２０が同じであってもよいし、異なってもよい。なお、移動端末２０の全ては、画面１０と、画面１０の相反する両側に位置し、相互に平行する平面である第一側表面ＳＬと第二側表面ＳＲとを含む。図１では、第一側表面ＳＬが左側面であり、第二側表面ＳＲが右側面である。他の実施例では、第一側表面ＳＬが上側面であってもよく、第二側表面ＳＲが下側面であってもよい。他に実施例では、第一側表面ＳＬが左側面や右側面であってもよく、第二側表面ＳＲが上側面や下側面であってもよい。
【００３８】
第一側表面ＳＬには、第一磁気吸着手段（図示せず）が設置され、第二側表面には、第二磁気吸着手段（図示せず）が設置される。第一磁気吸着手段と第二吸着手段は、鉄、コバルトやニッケル、或いは、鉄、コバルトやニッケルを吸引できる磁性材である。第一磁気吸着手段と第二磁気吸着手段は、現在の移動端末に他の移動端末が寄せ集められる時に、現在の移動端末の第一側表面における第一磁気吸着手段と他の移動端末の第二側表面における第二磁気吸着手段とが相互に吸引し、現在の移動端末の第一側表面と他の移動端末の第二側表面とが相互に合わさるように貼り付けられる位置に配置される。
【００３９】
この技術方案によれば、ある移動端末の第一磁気吸着手段／第二磁気吸着手段と他の移動端末の第二磁気吸着手段／第一磁気吸着手段とが相互に吸引し、移動端末間で相互に寄せ集め状態を形成することができる。第一磁気吸着手段と第二磁気吸着手段により、移動端末２０に寄せ集め専用のスロットを設置する必要がない。従って、移動端末の手触りを維持することができる。そして、画面１０と移動端末２０の第一側表面ＳＬ、第二側表面ＳＲとが相互に平行することにより、一つの移動端末と他の移動端末を側表面に貼り付け、複数の移動端末２０からなる組合型端末装置３０の画面が同一の水平面となり、表示の効果及び読む感覚を向上させることができる。
【００４０】
本発明の一実施例では、第一磁気吸着手段が第一側表面ＳＬから突出しないとともに、第二磁気吸着手段が第二側表面ＳＲから突出しない。これには、以下の二つの形態が含まれている。一つは、第一磁気吸着手段が第一側表面ＳＬの一部に所属され（或いは、第一磁気吸着手段と第一側表面ＳＬとが同一平面となる）、第二磁気吸着手段が第二側表面ＳＲの一部に所属され（或いは第二磁気吸着手段と第二側表面ＳＲとが同一平面となる）、寄せ集め時に異なる移動端末における第一側表面ＳＬと第二側表面ＳＲとが直接に接触し相互に吸引することである。もう一つは、第一磁気吸着手段が第一側表面ＳＬの下方に設置され、第二磁気吸着手段が第二側表面ＳＲの下方に設置され、第一磁気吸着手段と第二磁気吸着手段が相互に吸引し、第一側表面ＳＬと第二側表面ＳＲとが相互に接触している一方、第一磁気吸着手段と第二磁気吸着手段が相互に接触していないことである。
【００４１】
本発明の一実施例では、移動端末２０に、第一側表面に設置される第一導電部と第二側表面に設置される第二導電部が含まれる。第一導電部と第二導電部は、現在の移動端末２０の第一側表面が他の移動端末２０の第二側表面と相互に合わさるように貼り付けられる時に、この移動端末２０の第一側表面における第一導電部と他の移動端末２０の第二側表面における第二導電部が相互に電気接触することにより、第一導電部と第二導電部を介して異なる移動端末間で充放電やデータ伝送を行うことができる。一つの移動端末２０は、第一導電部或いは第二導電部に対応するベースを設置してもよい。ベースは、第一導電部或いは第二導電部に接触することにより充電或いはデータ伝送を行うためのものである。特に注意すべきところは、複数の移動端末２０により組合型端末装置３０を形成する時に、各移動端末２０の寄せ集め箇所が第一磁気吸着手段と第二磁気吸着手段により相互に吸引されるため、異なる移動端末２０間で第一導電部と第二導電部がぴったりと貼り付けられ、充電とデータ伝送の安定性を確保することができる。
【００４２】
本発明は、上記の説明によればわかるように、第一導電部と第二導電部が直接に接触する時に、剛性に接続すれば第一導電部と第二導電部に損傷を生成する恐れがあるため、第一導電部と第二導電部との少なくとも１つは、位置する側表面に垂直する方向に一定の移動量で移動できるように、弾性材料により製造され、或いは、偏るようにバネによって押圧される。第一導電部と第二導電部とは、一定の移動量を有するため、接触時における第一導電部と第二導電部の損傷への防止を保証することができる。
【００４３】
本発明は、図６に示されたように、第一導電部と第二導電部の設計案をさらに提供する。図６では、第一導電部４１が複数の弓形金属板からなる。第二導電部４２は、薄い金属板であり、その外部の辺縁が第二側表面ＳＲと同一平面からなり、全体的に第二側表面ＳＲの内部へ凹む。図６に示されたように、１つの移動端末２０の第一導電部４１と他の移動端末の第二導電部４２が対向して移動し、最終的に第一導電部４１と第二導電部４２が当接する場合に、弓形金属板により製造される第一導電部４１が、位置する第一側表面ＳＬに垂直する方向に変形を生じることにより、図６における第二側表面ＳＲと第一側表面ＳＬとが相互に合わさるように貼り付けられる。図６は、実線部分の第一導電部４１が変形前のものを示し、点線部分の第一導電部４１が変形したものを示す。
【００４４】
本発明は、図７に示されたように、第一導電部と第二導電部の設計案をさらに提供する。図７では、第一側表面ＳＬが第一溝４３を有し、第一導電部４１が第一溝４３に回転可能に接続され、例えば回転軸により第一溝４３の２つ壁面に回転可能に接続される。図７に示されたように、第一導電部４１は、第一溝４３の外部に出るように回転して、他の移動端末の第二導電部４２に接触し、第二導電部４２は金属製の板ばねからなる構成である。第一導電部４１は、図７における点線の部分に示されたように、第一溝４３内へ回転して他の移動端末の第二導電部４２との接触を断つことが可能である。
【００４５】
なお、第一導電部４１と第二導電部４２とに係る上記した二つ種類の設計では、第一導電部４１が張出位置と引返位置との間に移動可能である可動導電部として形成される。可動導電部は、張出位置に位置すると、位置する側表面に突出する。他の実施例では、第二導電部４２も、可動導電部として設置されてもよい。図６と７における第二導電部４２は、内部へ凹む弓形金属板として設置されてもよい。第一導電部４１と第二導電部４２がともに可動導電部である場合に、両者の損傷防止性能をさらに向上させることができる。
【００４６】
第一導電部４１と第二導電部４２とに係る上記した二つ種類の設計では、可動導電部の位置する側表面に、可動導電部を収容する凹部である第一溝４３を有する。他の実施例では、可動導電部である第一導電部４１或いは第二導電部４２を、指で回すことにより、その位置する側表面に対して張出したり、或いは引返したりする時に、凹部が穴の形状であるため、第一導電部４１や第二導電部４２がこの穴の形状の凹部を通して張出や引返を行う。凹部には、凹部を閉鎖しかつ凹部に接続する取外し可能な導電部蓋部を設置する。しかも、導電部蓋部が凹部を閉鎖すると、導電部蓋部の表面と導電部蓋部の位置する側表面とが同一平面となる。導電部蓋部は、このような設計により、凹部の内部への塵侵入を防止することができる。また、導電部蓋部がその位置する側表面と同一平面となるため、移動端末２０の手触りに影響を与えることがない。
【００４７】
以上より、第一側表面ＳＬ或いは第二側表面ＳＲは、貼り付けと寄せ集めのためのものであり、可能であれば第一側表面ＳＬ或いは第二側表面ＳＲに携帯電話機のボタンを設置しないようにする。移動端末２０の４つ側面の全てに他の移動端末２０を寄せ集める時には、第一側表面ＳＬ或いは第二側表面ＳＲに第二溝を設置し、手動操作ボタンを、輪郭がその側表面を上回らせないように第二溝に設置してもよい。当然ながら、一実施例に、第二溝が第一溝と同じであってもよい。
【００４８】
図８は、本発明の一実施例に係る左磁気吸着手段と右磁気吸着手段が設けられる移動端末の構成模式図であり、具体的には背面模式図である。図８では、移動端末２０の背面５０の片側に画面の幅方向に沿って配置される左磁気吸着手段と右磁気吸着手段が設けられ、図８において左磁気吸着手段と右磁気吸着手段は磁石６０である。他の実施例では、左磁気吸着手段と右磁気吸着手段が異なる部材であってもよく、例えば、左磁気吸着手段が磁石であり、右磁気吸着手段が鉄製素子である。図９と図１０を参照すると、当該移動端末２０と他の移動端末とを背中合わせに当接する場合に、当該移動端末における磁石６０のＮ極とＳ極が他の移動端末における磁石Ｓ極とＮ極と相互に吸引することにより、２つの移動端末の背面に相互に合わさるように貼り付ける機能を有する。そして、異なる移動端末は、画面１０の位置する方向に組合型端末装置３０を寄せ集めることができる一方、組合型端末装置３０を分解して複数の移動端末を形成する時に、移動端末が磁石を通して２つずつ吸着することができる。故に、移動端末の携帯が便宜になるだけではなく、移動端末の紛失の恐れが減少する。
【００４９】
図４は本発明の一実施例による組合型端末装置の模式図である。図４は、組合型端末装置３０が４つの移動端末２０により寄せ集められ、図４における移動端末２０の２つの長辺が額縁レスである。図５に示したように、本発明が提供した組合型端末装置３０は、５つの移動端末２０により画面１０の幅方向に沿って寄せ集められ、かつ、寄せ集められた各移動端末２０が同じ平面となり、このような画面１０の長さＬが組合型端末装置の幅Ｗ’となる。図５では、移動端末２０が携帯電話機であり、他の実施例に、移動端末２０がタブレットＰＣであってもよい。図４と５では、組合型端末装置の長さＬ’と幅Ｗ’が２９７ｍｍと２１０ｍｍである。つまり、図４における移動端末２０の幅Ｗが５９．４ｍｍであり、長さＬが２１０ｍｍであり、Ｌ：Ｗ＝３．５となる。図５における移動端末２０の幅Ｗが７４．２５ｍｍであり、長さＬが２１０ｍｍであり、Ｌ：Ｗ＝２．８となる。図４と５における組合型端末装置により出版物の資料を表示する場合に、全画面による表示だけではなく、黒い領域がないように表示を行うことができるとともに、この時のフォントは、出版物である紙のフォントの大きさが同じである。
【００５０】
組合型端末装置は、上記した図４−図５に示すように、狭額縁の移動端末を用いて画面１０の幅方向に沿って寄せ集められる。例えば、額縁の幅が１ｍｍより狭いものを狭額縁として定義や限定してもよい。もちろん、額縁の幅は必要に応じて変更可能である。本発明の技術案によれば、本発明に、図４と図５に示した画面１０における幅方向の２つ側辺を額縁レスとする移動端末２０を利用することが好ましい。この時に、各移動端末２０の寄せ集め箇所は、読むことへ影響を与えないが、画面１０の幅方向の２つの側辺の幅が増加すると、漸次に読むことへ悪い影響を与える恐れがある。
【００５１】
図１へ戻ると、図１に示した移動端末２０は、画面１０を有し、画面１０の幅方向に、移動端末２０に対向して設置する２つの側辺が額縁レスとなる。図１では、ｘ方向が画面の長手方向であり、ｙ方向が画面の幅方向である。図１乃至図５からわかるように、画面１０は、ほぼ矩形である。画面１０は、Ｌ：Ｗ≧２．５となり、ただし、Ｌが画面の長さであり、Ｗが画面の幅である。従って、本発明の幾つか実施例では、画面１０は細長い形状である。そして、画面１０は、同じ幅であればより大きい表示面積を有し、言い換えると、同じ表示面積であれば、より小さい幅を有することから、人々による片手操作を便宜に行うことができる。そして、利用者が容易に携帯電話機を片手で操作すると同時に、複数の画面を用いて一列の寄せ集めによりＡ４用紙に対応する比率を実現しやすい。
【００５２】
本発明の一実施例によれば、当該矩形の画面のアスペクト比は、以下のように制限されてもよい。
Ｌ：Ｗ＝（２０５〜２１５）：［（２９０〜３０４）／ｎ］，（１）、
ただし、ｎは正の整数、かつ、ｎ≧２である。
そうすれば、ｎ個の移動端末２０を寄せ集めて、組合型端末装置３０を形成すると、組合型端末装置３０のアスペクト比が（２９０〜３０４）／（２０５〜２１５）である。つまり、移動端末２０により寄せ集められた組合型端末装置３０は、面積のアスペクト比がほぼ２９７：２１０に等しいことから、フォントの大きさに関わらず、画面１０が全画面にて黒い領域がないように出版物の資料を表示することができる。
【００５３】
本発明の好ましい実施例では、ｎが６以下である。そして、ｎの値が４或いは５である場合には、画面１０が比較的に大きな表示面積を有すると共に、画面１０が細長過ぎることによる移動端末２０の使用に影響を与えることを防止することができる。本発明の好ましい実施例では、Ｗが５８〜６１ｍｍであり、Ｌが２０５〜２１５ｍｍである。特に、Ｗが６０ｍｍであり、Ｌが２１０ｍｍである場合に、５つの移動端末２０を寄せ集め、アスペクト比がほぼ２９７：２１０である組合型端末装置３０を形成することができる。Ｗが７２〜７６ｍｍであり、Ｌが２０５〜２１５ｍｍである。特に、Ｗが７４ｍｍであり、Ｌが２１０ｍｍである場合に、４つの移動端末２０を寄せ集め、アスペクト比がほぼ２９７：２１０である組合型端末装置３０を形成することができる。本発明に係る画面１０と移動端末２０によれば、大きな表示面積を有すると共に、片手操作に特に適合できる。複数の移動端末２０を寄せ集めた組合型端末装置３０は、そのアスペクト比がほぼ２９７：２１０であり、全画面にて黒い領域がないように出版物の資料を表示することができる。
【００５４】
上記においては、数式（１）により説明された、移動端末の画面のアスペクト比に対する限定条件は、比較的細長い画面（例えば、アスペクト比が２．５以上である画面）に限定されておらず、他の限定条件として自由に採用されてもよい。例えば、数式（１）について、ｎの値が２或いは３であってもよい。この時、当該アスペクト比がほぼ１．４１と２．１２である。この場合に、単一画面がそれほど細長くはなく、画面を依然としてＡ４用紙の比率となるように寄せ集め可能である。特に、２つ或いは３つ上記の画面を寄せ集め、Ａ４用紙の実際の大きさとほぼ同じである画面を形成する場合には、当該画面の長さＬが２０５〜２１５ｍｍとなる。
【００５５】
さらに、理解するべきところは、単純に、Ａ４用紙の実際の大きさとほぼ同じである画面を寄せ集めるために、移動端末の画面が矩形であり、ただし長さ或いは幅が２０５〜２１５ｍｍである。複数の移動端末を寄せ集めて一列の組合型端末装置３０を形成する場合に、これらの移動端末の長さ或いは幅が同じ大きさを有し、かつ、２０５〜２１５ｍｍの間に値を取る。そして、これらの移動端末を、同じ大きさの長さ或いは幅に従って寄せ集める場合に、寄せ集められた単一矩形の画面が全体的に２０５〜２１５ｍｍの幅を有すると共に、寄せ集められた単一矩形の画面の長さが２９０〜３０４ｍｍである。これは、寄せ集める移動端末の数量を適当に選択したり、異なる長さを他の側に有する移動端末を選択したりすることにより実現される。典型的には、当該組合型端末装置３０は、１つの携帯電話機と１つのタブレットＰＣを組み合わせ、或いは、１つの携帯電話機と２つのタブレットＰＣとを組み合わせることによりなされる。
【００５６】
以上より、当業者にとって理解するべきところは、本明細書に本発明の複数の例示性の実施例を詳しく記述したが、本発明の趣旨や範囲を逸脱しない限り、本発明の開示する記載によって本発明の原理に該当する他の変形や変更を直接に取得し、或いは導出することができると言うまでもない。そのため、本発明の範囲は、これらの他の変形や変更が本願の範囲に所属していると理解されるべきである。
【図１】
0006563501.tif 000002
【図２】
0006563501.tif 000003
【図３】
0006563501.tif 000004
【図４】
0006563501.tif 000005
【図５】
0006563501.tif 000006
【図６】
0006563501.tif 000007
【図７】
0006563501.tif 000008
【図８】
0006563501.tif 000009
【図９】
0006563501.tif 000010
【図１０】
0006563501.tif 000011